(57)【要約】【課題】コンパクトな構成であって作業環境を問わず使用でき、連設容器の全てのキャップを一度に開放することで作業効率を高める。【解決手段】容器本体２の列設方向Ｌ１に直交する方向Ｌ２から容器本体２を挟んで組み合わされる第一部品１０及び第二部品１０を備える。第一部品１０は、第一対向面１１に凹設された第一凹部１２と、第一対向面１１の一側に凹設されて容器本体２とキャップ４とを連結する連結部６が屈曲状態で収容される溝部１３とを有する。第二部品２０は、第二対向面２１に凹設された第二凹部２２と、第二凹部２２の一側であって方向Ｌ１及びＬ２のいずれにも直交する方向に突設された押圧部２３とを有する。押圧部２３は、溝部１３に連結部６が収容されるとともに部品１０，２０間に容器本体２を挟んだ状態で、部品１０，２０が押圧部２３の突出方向に相対的にスライドされるとキャップ４のフランジ部４ｆを押圧する。【選択図】図４
2019099236.tif 000002
【特許請求の範囲】
【請求項１】
一列に連設された複数の容器本体及び各々の前記容器本体と連結されたフランジ付きのキャップを有する連設容器における全ての前記キャップを一度に開放するキャップ開放装置であって、
前記容器本体の列設方向に直交する方向から前記容器本体を挟んで組み合わされる第一部品及び第二部品を備え、
前記第一部品は、前記第二部品と対向する第一対向面に凹設された所定数の第一凹部と、前記第一対向面における前記第一凹部の一側に凹設されて前記容器本体と前記キャップとを連結する帯状の連結部が屈曲された状態で収容される溝部と、を有し、
前記第二部品は、前記第一部品と対向する第二対向面に凹設された前記所定数の第二凹部と、前記第二凹部の一側であって前記第二対向面の法線方向及び前記列設方向のいずれにも直交する方向に突設された前記所定数の押圧部と、を有し、
前記押圧部は、前記溝部に前記連結部が収容されるとともに前記第一部品と前記第二部品との間に前記容器本体を挟んだ状態で、前記第一部品と前記第二部品とが前記押圧部の突出方向に相対的にスライドされると前記キャップのフランジ部を押圧する
ことを特徴とする、キャップ開放装置。
【請求項２】
前記溝部は、前記列設方向に一直線状に延設されている
ことを特徴とする、請求項１記載のキャップ開放装置。
【請求項３】
前記溝部は、前記列設方向に延設された対向する二つの壁部を持ち、
前記キャップの開放側に位置する一方の前記壁部の高さは、前記第一凹部側に位置する他方の前記壁部の高さよりも低く形成されるとともに、前記連結部と接する位置では他の位置よりも高く形成されている
ことを特徴とする、請求項２記載のキャップ開放装置。
【請求項４】
前記一方の壁部は、前記連結部と接する前記位置に、前記他の位置よりも高く形成された突出部を有し、
前記突出部は、前記溝部に前記連結部が収容された状態を前記キャップ側から見たときに、前記連結部と重なる辺が前記連結部の折り返し線と平行となるように形成されている
ことを特徴とする、請求項３記載のキャップ開放装置。
【請求項５】
前記キャップは、前記連結部と前記フランジ部とを繋ぐ仮想線に対して左右対称形状であり、
前記押圧部は、前記第一部品と前記第二部品との間に前記容器本体を挟んだ状態を前記キャップ側から見たときに、前記フランジ部と重なる辺が前記仮想線に対して直交するように形成されている
ことを特徴とする、請求項１〜４のいずれか１項に記載のキャップ開放装置。
【請求項６】
前記第一部品は、最外側に位置する二つの前記第一凹部の外側において前記第一対向面よりも突出するように立設されるとともに、先端に爪部が形成された一対のリブを有し、
前記第二部品は、前記第二対向面と直交するとともに前記突出方向に延在する二つの側面に形成された一対の段差部を有し、
前記第一部品及び前記第二部品は、前記容器本体を挟んだ状態で、かつ、前記爪部が前記段差部に引っ掛けられた状態でスライドされる
ことを特徴とする、請求項１〜５のいずれか１項に記載のキャップ開放装置。
【請求項７】
前記第一部品は、前記第一対向面の他側に形成された第一係合部を有し、
前記第二部品は、前記第二対向面の他側に形成された第二係合部を有し、
前記第一係合部及び前記第二係合部の一方が凸部として設けられ、前記第一係合部及び前記第二係合部の他方が前記凸部と係合することで前記スライドをロックする切欠き部として設けられている
ことを特徴とする、請求項１〜６のいずれか１項に記載のキャップ開放装置。
【請求項８】
前記連設容器は、キャップ付き８連ＰＣＲチューブ又はキャップ付き１２連ＰＣＲチューブであり、
前記フランジ部は、前記容器本体の開口縁部から径方向外側に突出した先細形状に形成されている
ことを特徴とする、請求項１〜７のいずれか１項に記載のキャップ開放装置。
【請求項９】
請求項１〜８のいずれか１項に記載のキャップ開放装置に用いられる連設容器であって、
一列に連設されるとともに、前記第一部品及び前記第二部品に挟まれる複数の容器本体と、
各々の前記容器本体と連結されるとともに前記容器本体の開口を塞ぐキャップと、
前記容器本体の前記開口の縁部から前記キャップに向かって帯状に延設されるとともに屈曲可能な連結部と、を備え、
前記キャップは、前記容器本体の前記開口よりも径方向外側に突出したフランジ部を有し、
前記フランジ部は、前記容器本体が前記第一部品と前記第二部品との間に挟まれた状態で、前記第一部品と前記第二部品とが前記押圧部の突出方向に相対的にスライドされたときに前記押圧部により押圧される
ことを特徴とする、連設容器。
【発明の詳細な説明】
【技術分野】
【０００１】
本発明は、複数の容器本体が一列に連なって設けられた密閉式の連結容器（いわゆる多連ＰＣＲチューブ）の各キャップを一度に開放するキャップ開放装置に関し、特に滅菌器に用いて好適である。また、本発明は、このキャップ開放装置に用いられる連設容器に関する。
【背景技術】
【０００２】
多連ＰＣＲチューブは、複数個（例えば８個や１２個）の同一形状のキャップ付き容器本体が一列に連なって設けられたチューブであり、生化学分野の実験や研究において用いられる。ＰＣＲチューブは、容器本体内のサンプルの蒸発やサンプルへの異物混入等を防ぐためにキャップによって密閉されるが、一つ一つのキャップを手で開け閉めしたのでは作業効率が悪い。そこで、全てのキャップを一度に着脱できる装置（着脱具）が提案されている。例えば特許文献１には、ＰＣＲチューブをセットする基体と、基体に対してスライドさせることで基体に保持されたＰＣＲチューブのキャップを一度に開放させる蓋体とから構成された着脱具が開示されている。
【先行技術文献】
【特許文献】
【０００３】
【特許文献１】実用新案第３２０６６５７号公報
【発明の概要】
【発明が解決しようとする課題】
【０００４】
しかしながら、上記の特許文献１の着脱具は小型化しにくいという課題があり、狭い作業スペースで用いることが困難である。また、この着脱具を用いる場合には、基体を置くための机や作業台が必要となり、この点からも作業環境が制限される。なお、これらの課題はＰＣＲチューブのキャップを開放する場合に限って生じる課題ではなく、一列に連設された容器本体と、各容器本体に連結されたキャップとを有する連設容器の全てのキャップを一度に開放する場合に共通の課題である。
【０００５】
本件のキャップ開放装置は、このような課題に鑑み案出されたもので、コンパクトな構成であって作業環境を問わず使用でき、連設容器の全てのキャップを一度に開放することで作業効率を高めることを目的の一つとする。また、本件の連設容器は、このようなキャップ開放装置に用いられることで、作業環境を問わず一度に全てキャップを開放させることを目的の一つとする。なお、この目的に限らず、後述する発明を実施するための形態に示す各構成により導かれる作用効果であって、従来の技術によっては得られない作用効果を奏することも本件の他の目的である。
【課題を解決するための手段】
【０００６】
（１）ここで開示するキャップ開放装置は、一列に連設された複数の容器本体及び各々の前記容器本体と連結されたフランジ付きのキャップを有する連設容器における全ての前記キャップを一度に開放するキャップ開放装置であって、前記容器本体の列設方向に直交する方向から前記容器本体を挟んで組み合わされる第一部品及び第二部品を備える。前記第一部品は、前記第二部品と対向する第一対向面に凹設された所定数の第一凹部と、前記第一対向面における前記第一凹部の一側に凹設されて前記容器本体と前記キャップとを連結する帯状の連結部が屈曲された状態で収容される溝部と、を有する。前記第二部品は、前記第一部品と対向する第二対向面に凹設された前記所定数の第二凹部と、前記第二凹部の一側であって前記第二対向面の法線方向及び前記列設方向のいずれにも直交する方向に突設された前記所定数の押圧部と、を有する。前記押圧部は、前記溝部に前記連結部が収容されるとともに前記第一部品と前記第二部品との間に前記容器本体を挟んだ状態で、前記第一部品と前記第二部品とが前記押圧部の突出方向に相対的にスライドされると前記キャップのフランジ部を押圧する。
【０００７】
（２）前記溝部は、前記列設方向に一直線状に延設されていることが好ましい。
（３）前記溝部は、前記列設方向に延設された対向する二つの壁部を持ち、前記キャップの開放側に位置する一方の前記壁部の高さは、前記第一凹部側に位置する他方の前記壁部の高さよりも低く形成されるとともに、前記連結部と接する位置では他の位置よりも高く形成されていることが好ましい。
【０００８】
（４）前記一方の壁部は、前記連結部と接する前記位置に、前記他の位置よりも高く形成された突出部を有し、前記突出部は、前記溝部に前記連結部が収容された状態を前記キャップ側から見たときに、前記連結部と重なる辺が前記連結部の折り返し線と平行となるように形成されていることが好ましい。
（５）前記キャップは、前記連結部と前記フランジ部とを繋ぐ仮想線に対して左右対称形状であり、前記押圧部は、前記第一部品と前記第二部品との間に前記容器本体を挟んだ状態を前記キャップ側から見たときに、前記フランジ部と重なる辺が前記仮想線に対して直交するように形成されていることが好ましい。
【０００９】
（６）前記第一部品は、最外側に位置する二つの前記第一凹部の外側において前記第一対向面よりも突出するように立設されるとともに、先端に爪部が形成された一対のリブを有し、前記第二部品は、前記第二対向面と直交するとともに前記突出方向に延在する二つの側面に形成された一対の段差部を有することが好ましい。この場合、前記第一部品及び前記第二部品は、前記容器本体を挟んだ状態で、かつ、前記爪部が前記段差部に引っ掛けられた状態でスライドされることが好ましい。
【００１０】
（７）前記第一部品は、前記第一対向面の他側に形成された第一係合部を有し、前記第二部品は、前記第二対向面の他側に形成された第二係合部を有することが好ましい。この場合、前記第一係合部及び前記第二係合部の一方が凸部として設けられ、前記第一係合部及び前記第二係合部の他方が前記凸部と係合することで前記スライドをロックする切欠き部として設けられていることが好ましい。
【００１１】
（８）前記連設容器は、キャップ付き８連ＰＣＲチューブ又はキャップ付き１２連ＰＣＲチューブであり、前記フランジ部は、前記容器本体の開口縁部から径方向外側に突出した先細形状に形成されていることが好ましい。
【００１２】
（９）ここで開示する連設容器は、上記（１）〜（８）のいずれか１つに記載のキャップ開放装置に用いられる連設容器であって、一列に連設されるとともに、前記第一部品及び前記第二部品に挟まれる複数の容器本体と、各々の前記容器本体と連結されるとともに前記容器本体の開口を塞ぐキャップと、前記容器本体の前記開口の縁部から前記キャップに向かって帯状に延設されるとともに屈曲可能な連結部と、を備える。前記キャップは、前記容器本体の前記開口よりも径方向外側に突出したフランジ部を有し、前記フランジ部は、前記容器本体が前記第一部品と前記第二部品との間に挟まれた状態で、前記第一部品と前記第二部品とが前記押圧部の突出方向に相対的にスライドされたときに前記押圧部により押圧される。
【発明の効果】
【００１３】
開示のキャップ開放装置によれば、全てのキャップを一度に簡単に開けることができ、作業効率を高めることができる。また、コンパクトな構成であることから、手のひらや指の上で作業することができる。言い換えると、机や作業台等がない場所であっても連設容器のキャップを開放することができるため、作業環境を問わず使用することができ、例えば制限された空間での作業も可能となる。
また、開示の連設容器によれば、開示のキャップ開放装置に用いられることから、作業環境を問わず、簡単に全てのキャップを開けることができる。
【図面の簡単な説明】
【００１４】
【図１】実施形態に係るキャップ開放装置に用いられる連設容器の一例（８連キャップ付きＰＣＲチューブ）を示す図であり、（ａ）は密閉状態の平面図、（ｂ）は密閉状態のキャップの正面図、（ｃ）は密閉状態の拡大斜視図、（ｄ）はキャップ開放状態の拡大斜視図である。
【図２】実施形態に係るキャップ開放装置の第一部品の斜視図である。
【図３】実施形態に係るキャップ開放装置の第二部品の斜視図である。
【図４】実施形態に係るキャップ開放装置をキャップ側から見た図であり、（ａ）は分解図、（ｂ）は容器本体を挟んだ状態を示す図である。
【図５】（ａ）は図４（ｂ）のＡ−Ａ矢視断面図であり、（ｂ）はキャップの開放状態を示す断面図である。
【発明を実施するための形態】
【００１５】
図面を参照して、実施形態としてのキャップ開放装置及び連設容器について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１６】
［１．構成］
図１（ａ）〜（ｄ）は、本実施形態に係るキャップ開放装置に用いられる連設容器１を示す模式図である。本実施形態のキャップ開放装置は、図１（ａ）及び（ｂ）に示すような、一列に連設された容器本体２と、各容器本体２と連結されたキャップ４とを有する連設容器１の全てのキャップ４を一度に開放する装置である。本実施形態では、連設容器１として、同一形状の８つのチューブ（容器本体２及びキャップ４）が一連に設けられた市販の８連キャップ付きＰＣＲチューブを例示する。以下、ＰＣＲチューブに符号１を示す。
【００１７】
図１（ａ）〜（ｄ）に示すように、本実施形態の容器本体２は円形の開口２ａを有し、径方向の寸法よりも深さ方向の寸法が長い細長形状に形成され、先端（容器の底）に向かって縮径されている。各容器本体２は、開口２ａの周囲の縁部（以下「開口縁部２ｅ」という）が他の部位よりも高強度に（例えば肉厚に）形成されている。８つの容器本体２は径方向に一列に並んで設けられ、隣接する容器本体２の開口縁部２ｅ同士が接続部２ｃによって連結されている。なお、以下の説明では、容器本体２が一列に並んだ方向を「列設方向Ｌ１」と呼ぶ。
【００１８】
８つのキャップ４のそれぞれは、各容器本体２と一体に設けられる。具体的には、容器本体２の開口縁部２ｅとキャップ４とが帯状の連結部６によって連結されている。連結部６は、開口縁部２ｅから、列設方向Ｌ１に対して４５度方向に延設されるとともに折り返されており、キャップ４の密閉状態では屈曲された状態となる。なお、連結部６の折り返し線６ｅは連結部６の延設方向に直交する。
【００１９】
キャップ４は、開口２ａを閉鎖する平面状の蓋部４ａと、開口２ａの内側に入り込んで密閉する筒部４ｂとを有する。蓋部４ａは、開口縁部２ｅよりも径方向外側に広がったフランジ部４ｆを有する。本実施形態のフランジ部４ｆは、開口縁部２ｅよりも径方向外側に突出した先細形状に形成され、容器本体２の径方向中心を挟んで連結部６の反対側に配置される。なお、本実施形態のキャップ４の蓋部４ａは、図１（ｂ）に示すように、連結部６とフランジ部４ｆとを繋ぐ仮想線Ｂに対して左右対称形状に形成されている。ＰＣＲチューブ１は、連結部６が支点となり、後述する押圧部２３が力点となって、作用点であるフランジ部４ｆを押すことでキャップ４が開放される。
【００２０】
キャップ開放装置は、図４（ａ）及び（ｂ）に示すように、容器本体２の列設方向Ｌ１に直交する方向から８つの容器本体２を挟んで組み合わされる第一部品１０及び第二部品２０を備える。以下、これら二つの部品１０，２０を組み合わせる方向（すなわち、列設方向Ｌ１に直交する方向）を「合わせ方向Ｌ２」と呼ぶ。図２及び図３に示すように、二つの部品１０，２０はいずれも略直方体形状の外形を有し、長手方向が列設方向Ｌ１に相当し、高さ方向が合わせ方向Ｌ２に相当する。なお、列設方向Ｌ１及び合わせ方向Ｌ２のいずれにも直交する方向（直方体形状の短手方向）は、後述する突出方向Ｌ３に相当する。第一部品１０と第二部品２０とは、列設方向Ｌ１及び突出方向Ｌ３のそれぞれに延びる四辺で囲まれた面同士を対向させて組み合わされる。以下、これらの面をそれぞれ第一対向面１１，第二対向面２１と呼ぶ。
【００２１】
図２に示すように、第一部品１０は、第二部品２０と対向する第一対向面１１に凹設された所定数の第一凹部１２と、第一対向面１１における第一凹部１２の一側（図中左側）に凹設された溝部１３とを有する。第一凹部１２は、突出方向Ｌ３に延設された断面半円形状の窪みであり、本実施形態では容器本体２の個数と同じ数だけ設けられる。すなわち、本実施形態では、「所定数」が８である場合を例示する。
【００２２】
第一凹部１２は、容器本体２の略半分（容器本体２の接続部２ｃよりも連結部６側の部分）を収容（嵌合）して、容器本体２の列設方向Ｌ１への動きを規制する機能を持つ。第一凹部１２の一側は開放されており、他側（図中右側）は閉鎖されている。この一側には、容器本体２の開口縁部２ｅが接触配置される。すなわち、ＰＣＲチューブ１の容器本体２は、一側にキャップ４が位置する姿勢で第一凹部１２に収容される。これにより、キャップ４は一側（図２中の左側）に向かって開放される。
【００２３】
本実施形態の溝部１３は、列設方向Ｌ１に一直線状に延設された断面コ字状の窪みであり、屈曲状態の連結部６が収容される。溝部１３は、列設方向Ｌ１に延設された対向する二つの壁部１３ａ，１３ｂを有する。図２，図４（ａ）及び（ｂ）に示すように、二つの壁部１３ａ，１３ｂのうち、キャップ４の開放側に位置する一方の壁部１３ａ（図２中左端の壁部、以下「第一壁部１３ａ」という）の高さは、第一凹部１２側に位置する他方の壁部１３ｂ（以下「第二壁部１３ｂ」という）の高さよりも低く形成される。第二壁部１３ｂには、第一凹部１２と連続する半円形状の窪みが形成されており、容器本体２が第一凹部１２に収容された状態で連結部６が接触配置される。
【００２４】
本実施形態第一壁部１３ａの高さは、容器本体２が第一凹部１２に収容された状態で連結部６と接する位置において他の位置よりも高く形成されている。以下、第一壁部１３ａのうち、その高さが他部よりも高く形成された部位（第一壁部１３ａのうち連結部６と接する部位）を山部１３ｃと呼ぶ。本実施形態の山部１３ｃ（突出部）は、図４（ｂ）に示すように、キャップ開放装置をキャップ４側から見たときに（以下「正面視で」という）、連結部６の略全体と重なるようになっている。具体的には、溝部１３に連結部６が収容された状態をキャップ４側から見たときに、山部１３ｃにおける連結部６と重なる辺１３ｅが、連結部６の折り返し線６ｅと平行になるように形成されている。本実施形態では、山部１３ｃが正面視で直角三角形状となっている。
【００２５】
本実施形態のキャップ開放装置は、第二壁部１３ｂよりも高さ寸法が小さい第一壁部１３ａが、部分的に高くなるように形成されている。このため、第一凹部１２に容器本体２が収容された状態では、正面視で、キャップ４の蓋部４ａと第一壁部１３ａとが重ならず、溝部１３に収容された連結部６と第一壁部１３ａ（山部１３ｃ）とが重なる。これにより、連結部６を支点としてキャップ４が開放されるときに、支点（連結部６）が確実に支持されるとともに蓋部４ａが開放されやすくなる。
【００２６】
図３に示すように、第二部品２０は、第一部品１０と対向する第二対向面２１に凹設された所定数の第二凹部２２と、第二凹部２２の一側（図中左側）であって第二対向面２２の法線方向（すなわち合わせ方向Ｌ２）及び列設方向Ｌ１のいずれにも直交する方向に突設された所定数の押圧部２３とを有する。なお、押圧部２３が突設された方向を「突出方向Ｌ３」という。第二凹部２２及び押圧部２３の各個数は、第一凹部１２の個数と同一であり、本実施形態ではＰＣＲチューブ１の容器本体２の個数と同じ数（すなわち８つ）とされる。
【００２７】
第二凹部２２は、第一凹部１２と同様、突出方向Ｌ３に延設された断面半円形状の窪みであり、容器本体２の略半分（容器本体２の接続部２ｃよりもフランジ部４ｆ側の部分）を収容（嵌合）して容器本体２の列設方向Ｌ１への動きを規制する機能を持つ。第二凹部２２の一側は開放されており、他側（図中右側）は閉鎖されている。この一側に押圧部２３が設けられる。すなわち、第一部品１０と第二部品２０とが容器本体２を挟んで組み合わされた状態（以下「組合せ状態」という）で、溝部１３と押圧部２３とが突出方向Ｌ３において同一側（キャップ４側）に位置する。
【００２８】
図３，図４（ａ）及び（ｂ）に示すように、押圧部２３は、キャップ４のフランジ部４ｆを押す力点となる部位である。本実施形態の押圧部２３は、正面視でホームベースのような形状に形成されており、その端面が平面状とされてフランジ部４ｆと面接触する。押圧部２３は、図４（ａ）及び（ｂ）に示すように、組合せ状態をキャップ４側から見たときに、フランジ部４ｆと重なる辺２３ｅが仮想線Ｂに対して直交するように形成されている。これにより、押圧部２３とフランジ部４ｆとの重なる面積が大きくなる。
【００２９】
ＰＣＲチューブ１は、第一部品１０の溝部１３に全ての連結部６が収容されるとともに第一凹部１２に容器本体２の略半分が収容され、第二凹部２２に容器本体２の残り半分が収容されるように第二部品２０が組み合わされる。このとき、押圧部２３が、合わせ方向Ｌ２において容器本体２と重なるように（すなわち、押圧部２３がキャップ４から容器本体２側に離されて）、第二部品２０が組み合わされる。このように、第一部品１０と第二部品２０とで容器本体２を挟んだ状態（組合せ状態）で、第一部品１０と第二部品２０とが突出方向Ｌ３に相対的にスライドされると、押圧部２３はキャップ４のフランジ部４ｆを押圧する。
【００３０】
図２及び図４（ａ）に示すように、本実施形態の第一部品１０は、最も外側に位置する二つの第一凹部１２の外側に、第一対向面１１よりも第二部品２０側に突出するように立設された一対のリブ１５を有する。すなわち、一対のリブ１５は、第一部品１０の列設方向Ｌ１の両側方のそれぞれに設けられ、左右対称形状（鏡面対称形状）に形成される。本実施形態の各リブ１５は、突出方向Ｌ３の寸法が列設方向Ｌ１の寸法（厚み）よりも大きい平板状である。各リブ１５は、正面視で、第一部品１０の列設方向Ｌ１の両側面１４の各下部から列設方向Ｌ１に延設されるとともに合わせ方向Ｌ２に屈曲形成されたＬ字状に形成される。各リブ１５の先端には、内側に向かって突出した爪部１６が設けられる。
【００３１】
また、第二部品２０は、第二対向面２１と直交するとともに突出方向Ｌ３に延在する二つの側面２４に形成された一対の段差部２６を有する。側面２４は、第二部品２０の列設方向Ｌ１の両側に位置する面であり、段差部２６は、側面２４の合わせ方向Ｌ２の中間部に設けられる。図４（ａ）及び（ｂ）に示すように、段差部２６は、第一部品１０及び第二部品２０の組合せ状態で爪部１６が引っ掛かる位置と形状とに形成される。爪部１６が段差部２６に引っ掛かることで、第一部品１０及び第二部品２０が相対的に突設方向Ｌ３以外には動かなくなるため、スライドしやすくなる。
【００３２】
また、本実施形態の第一部品１０は、図２，図４（ａ）及び（ｂ）に示すように、第一対向面１１の他側（図中右側）の角部に突設された凸部１７（第一係合部）を有する。さらに、図３，図４（ａ）及び（ｂ）に示すように、第二部品２０には、この凸部１７と係合することでスライドをロックする切欠き部２７（第二係合部）が設けられる。切欠き部２７は、第二対向面２１の他側の縁部を切り欠いて形成される。なお、第一部品１０に切欠き部が設けられ、第二部品２０に凸部が設けられていてもよい。これら凸部１７及び切欠き部２７によりロック機構が形成される。
【００３３】
［２．作用，効果］
ここで、上述したキャップ開放装置によりＰＣＲチューブ１のキャップ４を開放する手順を説明する。まず、第一部品１０の溝部１３に屈曲状態の連結部６を収容しつつ、第一凹部１２に容器本体２の略半分を収容する。次に、第二凹部２２に容器本体２の残り半分が入るように、第二部品２０を第一部品１０に組み合わせる。このとき、図４（ｂ）及び図５（ａ）に示すように、押圧部２３がキャップ４のフランジ部４ｆに当接するように、第二部品２０を第一部品１０に対して突出方向Ｌ３にずらして組み合わせる。なお、この組合せ状態では、爪部１６が段差部２６に引っ掛かる。
【００３４】
そして、爪部１６を段差部２６に沿わせて、図５（ａ）中に黒塗り矢印で示すように、第一部品１０と第二部品２０とを突出方向Ｌに相対的にスライドさせる。これにより、溝部１３内の連結部６が支点となり、押圧部２３（力点）がフランジ部４ｆ（作用点）を押圧するため、図５（ｂ）に示すように、全てのキャップ４が一斉に開放される。なお、凸部１７と切欠き部２７とが係合することで、第一部品１０と第二部品２０とのスライドがロックされるため、第一部品１０及び第二部品２０とＰＣＲチューブ１とは図５（ｂ）に示す状態で保持される。
【００３５】
したがって、上述したキャップ開放装置によれば、全てのキャップ４を一度に簡単に開けることができ、作業効率を高めることができる。また、コンパクトな構成であることから、手のひらや指の上で作業することができる。言い換えると、机や作業台等がない場所であってもＰＣＲチューブ１のキャップ４を開放できるため、作業環境を問わず使用することができる。このため、例えば使用済みのＰＣＲチューブ１を滅菌器で滅菌する場合に、滅菌器の釜（チャンバー）の内部に手を入れて、釜内でＰＣＲチューブ１のキャップ４を開放する作業を行うことができる。すなわち、上述したキャップ開放装置であれば、制限された空間での作業も可能となる。
【００３６】
また、上述したキャップ開放装置によれば、連結部６が収容される一本の溝部１３が一直線状に設けられているため、第一部品１０の形状を簡素化できる。
さらに、溝部１３は、第一壁部１３ａの高さ寸法が第二壁部１３ｂの高さ寸法よりも小さく形成されているため、キャップ４の開放が第一壁部１３ａで妨げられない。一方で、第一壁部１３ａは、連結部６と接する位置では他の位置よりも高さ寸法が大きく形成されているため、キャップ４のフランジ部４ｆが押圧部２３で押されたときに、支点となる連結部６の動きを規制できる。これらによって、小さな力で簡単にキャップ４を開けることができる。
【００３７】
特に、上述した第一壁部１３ａは、正面視で、山部１３ｃにおける連結部６と重なる辺１３ｅが連結部６の折り返し線６ｅと平行になるように形成されているため、連結部６と山部１３ｃとの重なる面積を大きくできる。これにより、フランジ部４ｆが押されたときに支点となる連結部６の動きをより規制できるため、キャップ４が開きやすくなる。
また、上述した押圧部２３は、正面視で、フランジ部４ｆと重なる辺２３ｅが仮想線Ｂと直交するように形成されているため、押圧部２３とフランジ部４ｆとの重なる面積を大きくでき、キャップが開きやすくなる。
【００３８】
上述したキャップ開放装置によれば、リブ１５の先端に設けられた爪部１６が、第二部品２０の側面２４に設けられた段差部２６に引っ掛けられるため、第一部品１０と第二部品２０とのスライドを案内することができる。これにより、キャップ４の開放作業がより簡単になる。
さらに、第一部品１０の凸部１７と第二部品２０の切欠き部２７とが係合することでスライドがロックされるため、キャップ４が所定角度だけ開いたところで第一部品１０と第二部品２０とがそれ以上スライドしなくなる。すなわち、キャップ４の開放度合いを凸部１７及び切欠き部２７で制限することができるため、容器本体２の内容物の漏出を抑制できる。また、凸部１７及び切欠き部２７により第一部品１０と第二部品２０とがロックされることで、キャップ４の開放状態を保つことができる。このため、例えばキャップ開放装置とともにＰＣＲチューブ１を滅菌にかける場合、キャップ４が滅菌途中で閉まることを防止できる。
【００３９】
また、上述したキャップ開放装置によれば、市販の８連キャップ付きＰＣＲチューブ１のキャップ４を簡単に開けることができる。なお、キャップ４のフランジ部４ｆが舌形状であるＰＣＲチューブ１であれば、より簡単に、より小さな力でキャップ４を開けることができる。
なお、上述したキャップ開放装置に用いられる連設容器１（例えばＰＣＲチューブ）であれば、作業環境を問わず、簡単に全てのキャップ４を開けることができる。
【００４０】
［３．その他］
上述したキャップ開放装置及び連設容器１の構成は一例であって、上述したものに限られない。例えば、上述した段差部２６の代わりに、爪部１６がスライドする溝が切ってあってもよい。また、リブ１５，爪部１６及び段差部２６を省略してもよい。上述したキャップ開放装置では、凸部１７及び切欠き部２７によりロック機構が形成されているが、これら以外の構成によってロック機構が形成されてもよい。ロック機構は少なくとも、二つの部品１０，２０のスライドを規制する（ロックする）構成であればよく、その位置や形状は特に限られない。
【００４１】
上述したキャップ開放装置では、キャップ４の連結部６が収容される溝部１３が一直線状に設けられる場合を例示したが、溝部の形状や個数はこれに限られない。例えば、溝部の個数を第一凹部１２の個数と同一とし、連結部６が位置する部分に凹設された所定数の溝部を並設してもよい。このような構成であっても、上述した実施形態と同様に、二つの部品１０，２０を相対的にスライドさせることでキャップ４を一度に開放できる。なお、溝部１３を構成する壁部１３ａ，１３ｂの高さ寸法やその形状は、連設容器に合わせて設定すればよい。
【００４２】
例えば、連設容器の連結部が、容器本体の開口縁部から、列設方向Ｌ１に対して９０度方向に延設されている場合、折り返し線は列設方向Ｌ１と平行となる。このため、第一壁部１３ａにおける連結部と重なる部位（上記の山部１３ｃに相当する突出部）を、正面視で矩形状となるように形成してもよい。なお、突出部（例えば上記の山部１３ｃ）における連結部６の重なる辺は、必ずしも連結部６の折り返し線６ｅと平行でなくてもよいが、突出部と連結部６との重なる面積が大きい方が好ましい。同様に、押圧部２３におけるフランジ部４ｆと重なる辺２３ｅが仮想線Ｂと直交していなくてもよいが、押圧部２３とフランジ部４ｆとの重なる面積が大きい方が好ましい。
【００４３】
また、上述した実施形態では、容器本体２の個数と、第一凹部１２，第二凹部２２及び押圧部２３の各個数がいずれも８つである場合を例示したが、後者の個数（所定数）が、前者の個数以上であればよい。例えば、第一凹部１２，第二凹部２２及び押圧部２３の個数（所定数）が１２であるキャップ開放装置を使って、上記の８連キャップ付きＰＣＲチューブ１のキャップ２を開放することもできる。
【００４４】
上述した実施形態では、連設容器として、８連キャップ付きＰＣＲチューブ１を例示したが、キャップ開放装置に用いられる連設容器はこれに限られない。例えば、連設容器が市販の１２連キャップ付きＰＣＲチューブでもよいし、８個や１２個以外の多連キャップ付きＰＣＲチューブであってもよい。
【００４５】
また、連設容器が市販品でなくてもよい。連設容器は、一列に連設されるとともに、上記の第一部品１０及び第二部品２０に挟まれる複数の容器本体と、各容器本体と連結されるとともに容器本体の開口を塞ぐキャップと、容器本体の開口縁部からキャップに向かって帯状に延設されるとともに屈曲可能な連結部と、を備えたものであり、キャップが、容器本体の開口よりも径方向外側に突出したフランジ部を有しており、このフランジ部が、容器本体が第一部品１０と第二部品２０との間に挟まれた状態で、これらの部品１０，２０が押圧部２３の突出方向Ｌ３に相対的にスライドされたときに押圧部２３により押圧されるものであれば、上述した実施形態と同様に、キャップ開放装置を用いて全てのキャップを一度に開放することができる。例えば、複数の容器本体の形状が全て同一でなくてもよいし、複数のキャップの向きや形状が全て同一でなくてもよい。
【符号の説明】
【００４６】
１  ＰＣＲチューブ（連設容器）
２  容器本体
２ａ  開口
２ｅ  開口縁部
４  キャップ
４ｆ  フランジ部
６  連結部
６ｅ  折り返し線
１０  第一部品
１１  第一対向面
１２  第一凹部
１３  溝部
１３ａ  第一壁部
１３ｂ  第二壁部
１３ｃ  山部（突出部）
１３ｅ  山部の辺
１５  リブ
１６  爪部
１７  凸部（第一係合部）
２０  第二部品
２１  第二対向面
２２  第二凹部
２３  押圧部
２３ｅ  押圧部の辺
２４  側面
２６  段差部
２７  切欠き部（第二係合部）
Ｌ１  列設方向
Ｌ２  合わせ方向（列設方向に直交する方向）
Ｌ３  突設方向
Ｂ  仮想線
【図１】
2019099236.tif 000003
【図２】
2019099236.tif 000004
【図３】
2019099236.tif 000005
【図４】
2019099236.tif 000006
【図５】
2019099236.tif 000007